【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
ファイバ走査システムの視野を増加させるための方法であって、前記方法は、
同調動吸振器として挙動するように前記ファイバ走査システムを構成することであって、前記ファイバ走査システムを構成することは、
（１）アクチュエータ自然周波数によって特徴付けられるアクチュエータと、（２）前記アクチュエータ自然周波数の閾値内であるファイバ自然周波数によって特徴付けられる光ファイバ走査要素とを提供することであって、第１の変位ゲインは、前記ファイバ自然周波数における前記ファイバ走査システムの動作と関連付けられる、ことと、
動作周波数の範囲を決定することであって、前記範囲は、前記ファイバ自然周波数を下回り、かつ前記第１の変位ゲインと関連付けられる第１の動作周波数から、前記ファイバ自然周波数を上回り、かつ前記第１の変位ゲインと関連付けられる第２の動作周波数までに及ぶ、ことと、
前記アクチュエータを前記範囲内の動作周波数で駆動することと
によって行われる、こと
を含む、方法。
【請求項２】
前記動作周波数は、前記ファイバ自然周波数を下回る第１の共振周波数に対応し、
前記動作周波数における変位ゲインは、前記第１の変位ゲインを上回る、請求項１に記載の方法。
【請求項３】
前記動作周波数は、前記ファイバ自然周波数を上回る第２の共振周波数に対応し、
前記動作周波数における変位ゲインは、前記第１の変位ゲインを上回る、請求項１に記載の方法。
【請求項４】
前記ファイバ走査システムは、２つの分裂周波数ピークによって特徴付けられ、第１の周波数ピークは、前記ファイバ自然周波数を下回る周波数を有し、第２の周波数ピークは、前記ファイバ自然周波数を上回る周波数を有し、
前記動作周波数は、前記第１の周波数ピーク以上であり、かつ前記第２の周波数ピーク以下である、請求項１に記載の方法。
【請求項５】
前記第１の変位ゲインは、前記ファイバ自然周波数と関連付けられる、請求項１に記載の方法。
【請求項６】
ファイバ走査システムであって、
アクチュエータ自然周波数を有するように構成されるアクチュエータと、
前記アクチュエータに結合される光ファイバ走査要素であって、前記光ファイバ走査要素は、前記アクチュエータが前記アクチュエータ自然周波数に実質的に等しい動作周波数で駆動されるときに前記アクチュエータの変位ゲインが最小にされるように、前記アクチュエータ自然周波数に実質的に整合させられるファイバ自然周波数を有するように構成される、光ファイバ走査要素と
を備える、ファイバ走査システム。
【請求項７】
前記アクチュエータは、圧電管を備える、請求項６に記載のファイバ走査システム。
【請求項８】
前記アクチュエータ自然周波数は、前記光ファイバ走査要素が前記アクチュエータと別個であるとき、前記アクチュエータを特徴付ける、請求項６に記載のファイバ走査システム。
【請求項９】
前記アクチュエータは、中心軸を有する円筒形幾何学形状を有し、前記光ファイバ走査要素は、前記中心軸に沿って前記アクチュエータを通過する、請求項６に記載のファイバ走査システム。
【請求項１０】
前記光ファイバ走査要素は、マルチコアファイバを備える、請求項６に記載のファイバ走査システム。
【請求項１１】
前記光ファイバ走査要素は、片持ち支持される、請求項６に記載のファイバ走査システム。
【請求項１２】
前記光ファイバ走査要素は、前記アクチュエータの中心位置において前記アクチュエータに結合される、請求項６に記載のファイバ走査システム。
【請求項１３】
前記中心位置における前記光ファイバ走査要素の外径は、前記中心位置における前記アクチュエータの内径より小さい、請求項１２に記載のファイバ走査システム。
【請求項１４】
前記光ファイバ走査要素を囲繞し、かつそれと接触する保定カラーをさらに備える、請求項１３に記載のファイバ走査システム。
【請求項１５】
前記光ファイバ走査要素は、前記アクチュエータに機械的に結合される、請求項６に記載のファイバ走査システム。
【請求項１６】
前記光ファイバ走査要素と前記アクチュエータとの間に中間要素をさらに備える、請求項６に記載のファイバ走査システム。
【請求項１７】
前記光ファイバ走査要素は、固定構成で前記アクチュエータに結合され、固定された端部における回転および変位を不可能にする、請求項６に記載のファイバ走査システム。
【請求項１８】
前記光ファイバ走査要素は、前記アクチュエータに結合され、前記光ファイバ走査要素の回転を可能にする、請求項６に記載のファイバ走査システム。
【請求項１９】
前記光ファイバ走査要素は、前記アクチュエータに結合され、さらに、前記光ファイバ走査要素の変位を可能にする、請求項１８に記載のファイバ走査システム。
【請求項２０】
ファイバ走査システムのための視野を増加させるための方法であって、前記方法は、
アクチュエータ自然周波数を有するように構成されるアクチュエータを提供することであって、前記ファイバ走査システムは、前記アクチュエータを含む、ことと、
前記アクチュエータに結合される光ファイバ走査要素を提供することであって、前記光ファイバ走査要素は、前記アクチュエータが前記アクチュエータ自然周波数に実質的に等しい動作周波数で駆動されるときに前記アクチュエータの変位ゲインが最小にされるように、前記アクチュエータ自然周波数に実質的に整合させられるファイバ自然周波数を有するように構成され、前記ファイバ走査システムはさらに、前記光ファイバ走査要素を含む、ことと、
前記アクチュエータを前記動作周波数で駆動することと
を含む、方法。
【請求項２１】
前記ファイバ走査システムの変位ゲインは、前記アクチュエータ自然周波数を境界する２つの分裂周波数ピークによって特徴付けられる、請求項２０に記載の方法。
【請求項２２】
前記動作周波数は、前記２つの分裂周波数ピークの第１のピークの閾値内であり、前記第１のピークは、前記アクチュエータ自然周波数を下回る、請求項２１に記載の方法。
【請求項２３】
前記動作周波数は、前記２つの分裂周波数ピークの第２のピークの閾値内であり、前記第２のピークは、前記アクチュエータ自然周波数を上回る、請求項２１に記載の方法。
【請求項２４】
前記動作周波数は、前記２つの分裂周波数ピークの間である、請求項２１に記載の方法。
【請求項２５】
前記アクチュエータは、正弦波電圧によって駆動される、請求項２１に記載の方法。
【請求項２６】
前記アクチュエータの１つ以上の属性は、前記アクチュエータを前記アクチュエータ自然周波数によって特徴付けさせるように構成され、前記１つ以上の属性のうちの属性は、ヤング率、断面二次モーメント、密度、断面積、長さ、またはモード定数である、請求項２０に記載の方法。
【請求項２７】
前記アクチュエータ自然周波数は、前記光ファイバ走査要素が前記アクチュエータと別個であるとき、前記アクチュエータを特徴付ける、請求項２０に記載の方法。
【請求項２８】
前記光ファイバ走査要素の先端は、光を投影し、画像を生成するように構成される、請求項２０に記載の方法。
【請求項２９】
前記アクチュエータを駆動することは、前記光ファイバ走査要素を走査させ、複数の入射角と、交点とを用いて、導波管によって眼まで中継される、一連のビームレットを作成する、請求項２０に記載の方法。
【請求項３０】
前記アクチュエータを駆動させることは、前記光ファイバ走査要素を渦巻状パターンで走査させる、請求項２０に記載の方法。
【手続補正２】
【補正対象書類名】明細書
【補正対象項目名】００１２
【補正方法】変更
【補正の内容】
【００１２】
いくつかの実施例では、ファイバ走査システムの変位ゲインは、アクチュエータ自然周波数を境界する２つの分裂周波数ピークによって特徴付けられることができる。そのような実施例では、動作周波数は、周波数ピークの第１のピークの近傍にある（すなわち、その閾値内の周波数である）ことができ、第１のピークは、アクチュエータ自然周波数を下回る。他の実施例では、動作周波数は、周波数ピークの第２のピークの近傍にある（すなわち、その閾値内の周波数である）ことができ、第２のピークは、アクチュエータ自然周波数より高い。他の実施例では、動作周波数は、アクチュエータ自然周波数の近傍にある（すなわち、その閾値内の周波数である）ことができる。いくつかの実施例では、アクチュエータは、正弦波電圧によって駆動されることができる。
本願明細書は、例えば、以下の項目も提供する。
（項目１）
ファイバ走査システムの視野を増加させるための方法であって、前記方法は、
同調動吸振器として挙動するように前記ファイバ走査システムを構成することであって、前記ファイバ走査システムを構成することは、
（１）アクチュエータ自然周波数によって特徴付けられるアクチュエータと、（２）前記アクチュエータ自然周波数の閾値内であるファイバ自然周波数によって特徴付けられる光ファイバ走査要素とを提供することであって、第１の変位ゲインは、前記ファイバ自然周波数における前記ファイバ走査システムの動作と関連付けられる、ことと、
動作周波数の範囲を決定することであって、前記範囲は、前記ファイバ自然周波数を下回り、かつ前記第１の変位ゲインと関連付けられる第１の動作周波数から、前記ファイバ自然周波数を上回り、かつ前記第１の変位ゲインと関連付けられる第２の動作周波数までに及ぶ、ことと、
前記アクチュエータを前記範囲内の動作周波数で駆動することと
によって行われる、こと
を含む、方法。
（項目２）
前記動作周波数は、前記ファイバ自然周波数を下回る第１の共振周波数に対応し、
前記動作周波数における変位ゲインは、前記第１の変位ゲインを上回る、項目１に記載の方法。
（項目３）
前記動作周波数は、前記ファイバ自然周波数を上回る第２の共振周波数に対応し、
前記動作周波数における変位ゲインは、前記第１の変位ゲインを上回る、項目１に記載の方法。
（項目４）
前記ファイバ走査システムは、２つの分裂周波数ピークによって特徴付けられ、第１の周波数ピークは、前記ファイバ自然周波数を下回る周波数を有し、第２の周波数ピークは、前記ファイバ自然周波数を上回る周波数を有し、
前記動作周波数は、前記第１の周波数ピーク以上であり、かつ前記第２の周波数ピーク以下である、項目１に記載の方法。
（項目５）
前記第１の変位ゲインは、前記ファイバ自然周波数と関連付けられる、項目１に記載の方法。
（項目６）
ファイバ走査システムであって、
アクチュエータ自然動作周波数によって特徴付けられるアクチュエータと、
前記アクチュエータに結合される光ファイバ走査要素であって、前記光ファイバ走査要素は、アクチュエータ自然周波数を前記アクチュエータ自然周波数の閾値内に整合させるように構成されるファイバ自然周波数によって特徴付けられる、光ファイバ走査要素と
を備える、ファイバ走査システム。
（項目７）
前記アクチュエータは、圧電管を備える、項目６に記載のファイバ走査システム。
（項目８）
前記アクチュエータ自然周波数は、前記光ファイバ走査要素が前記アクチュエータと別個であるとき、前記アクチュエータを特徴付ける、項目６に記載のファイバ走査システム。
（項目９）
前記アクチュエータは、中心軸を有する円筒形幾何学形状を有し、前記光ファイバ走査要素は、前記中心軸に沿って前記アクチュエータを通過する、項目６に記載のファイバ走査システム。
（項目１０）
前記光ファイバ走査要素は、マルチコアファイバを備える、項目６に記載のファイバ走査システム。
（項目１１）
前記光ファイバ走査要素は、片持ち支持される、項目６に記載のファイバ走査システム。
（項目１２）
前記光ファイバ走査要素は、前記アクチュエータの中心位置において前記アクチュエータに結合される、項目６に記載のファイバ走査システム。
（項目１３）
前記中心位置における前記光ファイバ走査要素の外径は、前記中心位置における前記アクチュエータの内径より小さい、項目１２に記載のファイバ走査システム。
（項目１４）
前記光ファイバ走査要素を囲繞し、かつそれと接触する保定カラーをさらに備える、項目１３に記載のファイバ走査システム。
（項目１５）
前記光ファイバ走査要素は、前記アクチュエータに機械的に結合される、項目６に記載のファイバ走査システム。
（項目１６）
前記光ファイバ走査要素と前記アクチュエータとの間に中間要素をさらに備える、項目６に記載のファイバ走査システム。
（項目１７）
前記光ファイバ走査要素は、固定構成で前記アクチュエータに結合され、固定された端部における回転および変位を不可能にする、項目６に記載のファイバ走査システム。
（項目１８）
前記光ファイバ走査要素は、前記アクチュエータに結合され、前記光ファイバ走査要素の回転を可能にする、項目６に記載のファイバ走査システム。
（項目１９）
前記光ファイバ走査要素は、前記アクチュエータに結合され、さらに、前記光ファイバ走査要素の変位を可能にする、項目１８に記載のファイバ走査システム。
（項目２０）
ファイバ走査システムのための視野を増加させるための方法であって、前記方法は、
アクチュエータ自然動作周波数によって特徴付けられるアクチュエータを提供することであって、前記ファイバ走査システムは、前記アクチュエータを含む、ことと、
前記アクチュエータに結合される光ファイバ走査要素を提供することであって、前記光ファイバ走査要素は、アクチュエータ自然周波数を前記アクチュエータ自然周波数の閾値内に整合させるように構成されるファイバ自然周波数によって特徴付けられ、前記ファイバ走査システムはさらに、前記光ファイバ走査要素を含む、ことと、
前記アクチュエータを動作周波数で駆動することと
を含む、方法。
（項目２１）
前記ファイバ走査システムの変位ゲインは、前記アクチュエータ自然周波数を境界する２つの分裂周波数ピークによって特徴付けられる、項目２０に記載の方法。
（項目２２）
前記動作周波数は、前記２つの分裂周波数ピークの第１のピークの閾値内であり、前記第１のピークは、前記アクチュエータ自然周波数を下回る、項目２１に記載の方法。
（項目２３）
前記動作周波数は、前記２つの分裂周波数ピークの第２のピークの閾値内であり、前記第２のピークは、前記アクチュエータ自然周波数を上回る、項目２１に記載の方法。
（項目２４）
前記動作周波数は、前記２つの分裂周波数ピークの間である、項目２１に記載の方法。
（項目２５）
前記アクチュエータは、正弦波電圧によって駆動される、項目２１に記載の方法。
（項目２６）
前記アクチュエータの１つ以上の属性は、前記アクチュエータを前記アクチュエータ自然周波数によって特徴付けさせるように構成され、前記１つ以上の属性のうちの属性は、ヤング率、断面二次モーメント、密度、断面積、長さ、またはモード定数である、項目２０に記載の方法。
（項目２７）
前記アクチュエータ自然周波数は、前記光ファイバ走査要素が前記アクチュエータと別個であるとき、前記アクチュエータを特徴付ける、項目２０に記載の方法。
（項目２８）
前記光ファイバ走査要素の先端は、光を投影し、画像を生成するように構成される、項目２０に記載の方法。
（項目２９）
前記アクチュエータを駆動することは、前記光ファイバ走査要素を走査させ、複数の入射角と、交点とを用いて、導波管によって眼まで中継される、一連のビームレットを作成する、項目２０に記載の方法。
（項目３０）
前記アクチュエータを駆動させることは、前記光ファイバ走査要素を渦巻状パターンで走査させる、項目２０に記載の方法。